(57)【特許請求の範囲】
【請求項１】
信号を送信および受信するトランシーバを具える電話機であって、
第１メモリを含み、電話機の動作を管理する管理アセンブリと、
デモンストレーションマーカと少なくとも１つのデモンストレーションプロシージャを格納する第２のメモリを含む取外し可能識別モジュールとを具え、
前記管理アセンブリが前記マーカの検出手段を具え、該検出手段により前記マーカを検出したとき、
前記第２メモリに格納されているデモンストレーションプロシージャへのアクセスを許可し、
前記トランシーバの動作を禁止する、
ことを特徴とする電話機。
【請求項２】
前記デモンストレーションプロシージャは、前記第１のメモリの内容を前記取外し可能識別モジュールにバックアップするプロシージャであって、前記第１のメモリの内容を前記第２のメモリに書き込むことを特徴とする電話機。
【請求項３】
前記デモンストレーションプロシージャは前記第１のメモリの内容を前記取外し可能識別モジュールからリストアするプロシージャであって、前記第２のメモリの内容を前記第１のメモリに書き込むことを特徴とする電話機。
【請求項４】
デモンストレーションマーカと少なくとも１つのデモンストレーションプロシージャを格納するメモリを具えた請求項１〜３の何れかに記載の移動無線電話機用識別モジュール。
【発明の詳細な説明】
【０００１】
【発明の属する技術分野】
本発明は、取外し可能識別回路の助けによって動作する電話機であって、
伝送信号を電話ネットワークを経て接続しうる伝搬媒体を経て送信及び受信するトランシーバ部分と、
ユーザからの命令を受信する制御アセンブリと、
動作指示をユーザに示す可視表示アセンブリと、
前記取外し可能識別素子を接続する接続回路と、
電話機の動作を管理する管理アセンブリと、
を具える電話機に関するものである。
【０００２】
本発明はこのような電話機に好適な識別モジュールにも関するものである。
本発明は、特に、種々の通信網内で動作するＧＳＭテレフォンの名前で知られている移動無線電話タイプの電話機に関するものである。これらの電話機は種々のオペータにより使用されている。
これらの通信網を管理する標準規格は、常に非常呼び（消防団、警察等）をすることができる旨定めている。
【０００３】
【従来の技術】
ＰＣＴ特許明細書第ＷＯ９１／１２６９８号にこのような電話機が開示されている。この明細書には、予め決められた機能をアクティブにする取外し可能識別回路を使用することが提案されている。これらの機能の中には非常呼び以外の情報を伝送する機能が通信網内に依然として存在する。
【０００４】
通信網内のこの情報伝送機能はいくつかの用途に不都合である。実際上、非常呼び以外に何の伝送も通信網に必要としない用途がある。第１の用途は、例えば電話端末の販売者が製品の可能性を顧客に知らせる必要がある場合である。このような場合には加入者認証及び位置決定メカニズムを動作させることは通信網に不必要な負荷を与えることになる。更に、デモンストレーションの必要のためにのみ各販売地点に一つの又は種々の実際の加入者カードを用意するのは困難である。第２の用途は移動電話機の環境のバックアップ及びそのリセットである。これは、電話機を修理するとき及びユーザによりプログラムされた環境が失われる恐れがあるときに経験されうる。本明細書では、このような通信網を介する伝送を必要としない処理をデモンストレーションプロシージャという。
【０００５】
【発明が解決しようとする課題】
本発明は上述のデモンストレーションプロシージャをオペレータの近くで接続を設定することなく実行しうる頭書に規定されたタイプの移動無線電話機を提供することにある。
【０００６】
【課題を解決するための手段】
この目的のために、本発明はこのような電話機において、デモンストレーションプロシージャを規定するマーカを具える取外し可能識別回路を設けることを特徴とする。本発明により提案されたこの手段によれば、管理アセンブリが検出手段を具え、この手段によりこのマーカを検出して、制御アセンブリの動作を許可し、可視ディスプレイアセンブリの動作を許可し、通信網へのノーマル接続に対しトランシーバ部分の動作を禁止する、よう構成したことを特徴とする。
【０００７】
本発明のこれらの特徴及び他の特徴は以下に記載する実施例の説明から明らかになる。
【０００８】
【実施例】
図１において、１は本発明による移動無線電話機を示す。この電話機はアンテナ５を具え、この電話機はこのアンテナによりＧＳＭ型の無線通信網への接続を行う接続ステーション８への及びからの電波を送信及び受信することができる。電話機１は受話口１０、マイクロフォン１２、キーパッド１５及び可視ディスプレイ１７を具える。破線は電話機内に位置する電子部品２０を示す。ＧＳＭ標準（Ｉ−ＥＴＳ３００  ０４５−１又はｐｒＥＴＳ３０）に従って、ＩＳＯフォーマット又はいわゆるプラグインフォーマットのＳＩＭカードの形態の取外し可能識別回路３０が設けられる。このカードは電気接点３１を有し、この接点は移動無線電話機１の一部を構成するコネクタ３５とインターフェースする。このコネクタは図２に示されている。
【０００９】
この図２において、図１の素子と同一の素子は同一の符号で示されている。この図には電子部分２０の構造が詳細に示されている。
この部分２０は、ＧＳＭ技術における通常の種々の情報信号、特にマイクロフォン１２からの信号及び受話口への信号を送信及び受信する送信アセンブリ４０及び受信アセンブリ４２を具える。マイクロプロセッサアセンブリ５０は次の素子、即ち送信部及び受信部４０及び４２、キーパッド１５により形成されたユーザ発生命令を受信する制御アセンブリ及び動作指示をユーザに示す可視ディスプレイ１７からなる可視ディスプレイアセンブリの管理を行うとともに、コネクタ３５及び３１を経るＳＩＭモジュールとの情報の交換も管理する。このアセンブリ５０は好ましくは加入者構成ファイル及び短縮ダイアル電話番号のリストの記憶用に予定されたＥＰＲＯＭ型のメモリ５１を具える。
【００１０】
ＳＩＭモジュール又はカード３０は一組のファイルを具え、これらのファイルは（前記のＧＳＭ標準に従って）メモリ５５に記憶しうる。マイクロプロセッサアセンブリ５０はこれらのファイルをアクセスしうる。
【００１１】
本発明においては、これらのファイルの一つを、その動作モードをオペレータにより与えられる他のモジュールから識別する重要なワードの書込み用に保存する。例えば、ワード”ＤＭＯ”を前記標準により規定されたファイルEFADに書き込む。これは本発明の第１の手段を構成する。本発明の他の手段はマイクロプロセッサアセンブリ５０に対する命令を与えることにある。
【００１２】
これを図３にフローチャートで示す。第１動作ステップはボックスＫ１内に示されている。このボックスはコネクタを経て接続されるＳＩＭモジュールの存在の検出ステップを示す。このモジュールが電話機１内に挿入されてない限り、ボックスＫ１内に示すこの動作フェーズが維持される。モジュールが挿入されると、ボックスＫ３に進み、ここでワードＤＭＯの存在が検査される。このワードが存在する場合には、ボックスＫ５において標識ＶＳＩＭにワード"dmo" が割り当てられる。このワードが存在しない場合には、ボックスＫ６においてこの標識に"oth" が与えられる。次にボックスＫ１０に進み、ここで個人識別コード（ＰＩＮ）の入力の必要性を検証する。この入力が必要ない場合には、ボックスＫ１２においてプロシージャＳＭＵが実行され、これはＳＩＭモジュールを意味する。個人識別コードを入力する必要がある場合には、ボックスＫ１８に進む。ここで、個人識別コードが入力されたときに、ボックスＫ２０においてＳＩＭモジュールがこのコードが正しいか検証する。このコードが正しい場合には、ボックスＫ２２に進み、前記プロシージャＳＭＵが呼び出される。コードが正しくない場合には、次の試みが行われる。ボックスＫ２５において、この試みの回数が例えば３を越えるか検査される。この試みの回数はモジュール３０内で管理される。この試み回数に到達しない場合にはボックスＫ１８に戻る。この回数に到達すると、ボックスＫ２８に進み、ＰＩＮデブロッキングコードである８文字のコードＰＵＫを得る。ＳＩＭモジュールがブロックＫ３０においてこのコードを検証する。このコードが正しい場合には、ブロックＫ３２に進み、ここで前記プロシージャＳＭＵが呼び出される。このコードが正しくない場合には、このコードを得る試みが再びなされる。ボックスＫ３８においてこの試みの回数が１０を越えないか検査する。越えなければ、ボックスＫ２８に進む。越えれば、ＳＩＭモジュールがブロックされ、電話機の初期化を許可しない。
【００１３】
本発明の手段は上述のプロシージャＳＭＵを説明する図４のフローチャートにおいて明らかになる。
このプロシージャは標識ＶＳＩＭの検証（ボックス５０）で開始する。この標識がワード"dmo" を含む場合には、ＤＭＯmdの処理（ボックスＫ５２）に進む前に電話機が非常呼びをすることを許すプロシージャＲＥＩがボックスＫ５１において実行される。標識ＶＳＩＭがワード"dmo" を含まない場合には、ボックスＫ５５に進み、電話機のノーマル動作の開始ステップが行われ，ここでノーマルタイプのモジュールであるか検査される。そうである場合には、ボックスＫ５６においてノーマル動作モードＮormf（ボックスＫ６０）に進む前にプロシージャＲＥＧ、即ちユーザが契約しているネットワークへの接続プロシージャが実行される。ノーマルタイププロシージャでない場合には、ボックスＫ５５からボックスＫ６５へ進み、ここでこのモジュールが試験モジュール（娯楽を提供するために表題の会社により使用される）であるか検査される。試験モジュールである場合には、これらの試験がプロシージャＴstＭ（ボックスＫ６７）において実行される。試験モジュールでない場合には、非常呼びの管理のみを許可するプロシージャであるプロシージャＥmgＭをボックスＫ６９において実行する。
【００１４】
図５のフローチャートはプロシージャＤＭＯmdが提供する可能性を示す。
第１の可能性は、電話機の構成モジュールにおいて、メモリ５１に記憶されているアセンブリ５０のファイルからメモリ５５に記憶されているモジュール３０のバックアップファイルへバックアップすることにある。これがボックスＫ７１に示されている。
第２の可能性は、逆の動作を実行する、即ちメモリ５５からメモリ５１へモジュールのファイルを電話機の構成ファイルへ転送することにある（ボックスＫ７２）。
第３の可能性は、ステーションのすべての機能：特に異なる言葉で表現されたディスプレイの構成、部分４０及び４２の動作の禁止（ボックスＫ７５）を得ることにある。これらの種々の可能性は、公知のプログラミング方法に従って制御回路１５のキーパッド上の２つのキーが同時にタッチされたとき、又は一連のキーがタッチされたときにトリガされる。
【図面の簡単な説明】
【図１】本発明による移動無線電話機を示す。
【図２】図１に示す電話機のブロック図を示す。
【図３】本発明電話機を説明するための第１のフローチャートである。
【図４】本発明電話機を説明するための第２のフローチャートである。
【図５】本発明電話機を説明するための第３のフローチャートである。
【符号の説明】
１  移動無線電話機
５  アンテナ
８  接続ステーション
１０  受話口
１２  マイクロフォン
１５  キーパッド
１７  可視ディスプレイ
２０  電子部分
３０  取外し可能識別回路
３１  電気接点
３５  コネクタ
４０  送信アセンブリ
４２  受信アセンブリ
５０  マイクロプロセッサアセンブリ
５１  メモリ
５５  メモリ
【図１】
0003912435.tif 000002
【図２】
0003912435.tif 000003
【図３】
0003912435.tif 000004
【図４】
0003912435.tif 000005
【図５】
0003912435.tif 000006